(57)【特許請求の範囲】
【請求項１】
複数台の機器の動作をコントローラによって集中的に制御して、各機器について、動作状態に関する調整項目を所望の調整値に調整することが可能な複数機器制御システムであって、コントローラは、調整せんとする複数の機器について、機器を特定する機器名、調整項目を規定するコマンド、及び調整値を含む制御情報ブロックを、調整の順序に連結してなるシステムコマンドを生成し、各機器は、前記システムコマンド中、自己に対する制御情報ブロックに含まれるコマンド及び調整値に応じて動作状態が調整される複数機器制御システムにおいて、
システム立ち上げ時にシステムコマンドに基づいて各機器の動作を制御する制御手段と、
各機器に対するコマンド毎に、ユーザによる調整の結果をシステム立ち上げ時の動作状態に反映させるべき反映可能コマンドであるかどうかを表わす情報が格納されている反映可能コマンドテーブル手段と、
システム運転中にユーザが任意の機器の動作状態を所望の調整値に調整した場合、前記反映可能コマンドテーブル手段に基づいて、該調整値についてのコマンドが反映可能コマンドであるか否かを判断するコマンド判断手段と、
該調整値についてのコマンドが反映可能コマンドであると判断されたとき、調整の対象となった機器について、該コマンド及び調整値を表わす最新の調整情報が格納される反映コマンドテーブル手段と、
システム運転の終了時に、前記反映コマンドテーブル手段に基づいて、調整の対象となった機器について、該機器の動作状態の調整値を絶対値として指定するための絶対値指定型コマンドを作成し、該コマンドに基づいてシステムコマンドを更新するシステムコマンド更新手段と、
各機器についての過去の動作状態を蓄積する状態保持テーブル手段
とを具え、
前記システムコマンド更新手段は、ユーザの選択設定に応じて、反映コマンドテーブル手段に基づいて絶対値指定型コマンドを作成する基本設定モードと、前記状態保持テーブル手段に基づいて絶対値指定型コマンドを作成する履歴設定モードとを切り替えることを特徴とする複数機器制御システム。
【請求項２】
前記状態保持テーブル手段は、環境別に過去の動作状態を蓄積した複数の環境別状態保持テーブルを具え、システムコマンド更新手段は、ユーザによって選択設定された環境別状態保持テーブルに基づいて、絶対値指定型コマンドを作成する請求項１に記載の複数機器制御システム。
【請求項３】
環境別状態保持テーブルとして、時間帯別状態保持テーブル、季節別状態保持テーブル、及び照度別状態保持テーブルが設定されている請求項２に記載の複数機器制御システム。
【発明の詳細な説明】
【０００１】
【発明の属する技術分野】
本発明は、ＡＶ機器や照明器等の複数台の機器をコントローラによって集中的に制御する複数機器制御システムに関するものである。
【０００２】
【従来の技術】
出願人は以前に、図１に示す如く、ＶＴＲ(９)(10)、ＡＭＰ(11)、ＴＶ(12)、液晶プロジェクタ(14)、照明器(16)(17)等の複数台の機器をホームシアタコントローラ(１)に接続すると共に、ホームシアタコントローラ(１)にはタッチパネルコントローラ(８)を接続して、タッチパネルコントローラ(８)の操作に応じて、複数台の機器を集中的に制御するホームシアターシステムを提案している。
【０００３】
上記ホームシアターシステムにおいては、ホームシアタコントローラ(１)が例えば図１３(ａ)に示す如く、複数の制御情報ブロックをシーケンシャルに連結してなるシステムコマンドを生成する。図示するシステムコマンドでは、先ず先頭の制御情報ブロックにおいて、機器３(照明器)に対してコマンド５(フェード付きの光度設定)を規定して、光度のパラメータ(調整値)を１００％に設定する。次に、機器１(ＶＴＲ)に対してコマンド１(電源ＯＮ)を規定し、更に機器２(ＴＶ)に対してコマンド１(電源ＯＮ)を規定し、その後、機器１(ＶＴＲ)に対してコマンド２(再生)を規定する。続いて、機器４(タイマーによるウエイト機能)にコマンド６(ウエイト設定)を規定して、２秒間のウエイト(待機)を設定した後、最後の制御情報ブロックにおいて、機器３(照明器)に対してコマンド５(フェード付きの光度設定)を規定し、光度のパラメータを２０％まで落とす。
【０００４】
上記システムコマンドによってシステム動作が制御され、システムコマンドに含まれる各機器に対する制御情報に基づいて、各機器の動作状態が調整される。即ち、先ず照明器がオンとなって光度０％から１００％までフェード付きで調整され、次にＶＴＲの電源がオンとなり、更にＴＶの電源がオンとなり、その後、ＶＴＲの再生が開始される。続いて、２秒間の待機を経て、照明器が光度２０％までフェード付きで調整される。
この結果、ユーザは、適度な明るさの下でＶＴＲによる再生映像を楽しむことが出来る。
尚、ユーザは、上述の如きシステム動作中においても、タッチパネルコントローラ(８)や機器を操作して、機器の動作状態、例えば照明器の光度を調整し、時間帯や好み等に応じた明るさを設定することも可能である。
【０００５】
【発明が解決しようとする課題】
ところで、従来のホームシアターシステムにおいては、システムを立ち上げたり、終了させたりするための操作と、システム動作中のユーザによる操作とは、互いに連動関係がなく、システム動作中のユーザの操作によって機器動作の調整値が変更されたとしても、次のシステム動作開始時には、当初の調整値によって機器動作の調整が行なわれる。
【０００６】
しかしながら、システム動作を規定するシステムコマンドは、ホームシアターシステムの設置時にシステム担当者が適宜設定したものであるが、必ずしも、ホームシアターシステムを実際に設置した部屋の環境やユーザの好み等に合致したものとは限らず、条件に応じて調整値を変更したい場合がある。又、季節や時間帯によっても、最適な調整値は異なることになる。更に又、その時のユーザの気分や視聴番組の内容等によって、調整値を変えたい場合もある。
【０００７】
ところが、ユーザにとってシステムコマンドを修正することは困難であり、又その都度、調整値の変更を行なうことは極めて煩雑である。そこで、システム運転中のユーザによる調整の結果に基づいて、システムコマンドを自動的に更新する構成を採用することも考えられるが、この方法によれば、逆に、その時の気分等、一時的な理由で変更した調整値が次のシステム立ち上げ時にも設定されることとなって、適切でない場合がある。
【０００８】
本発明の目的は、システム動作の途中で任意の機器について動作状態の調整値を変更した場合に、次のシステム立ち上げ時に反映させるべき調整値と反映させるべきでない調整値とが適確に区別されて、システム設置環境に適合すると同時にユーザの意向を適切に反映した機器動作を実現することが出来る複数機器制御システムを提供することである。
【０００９】
【課題を解決する為の手段】
本発明に係る複数機器制御システムは、複数台の機器の動作をコントローラによって集中的に制御し、各機器について、動作状態についての調整項目を所望の調整値に調整することが可能なシステムであって、コントローラは、調整せんとする複数の機器について、機器を特定する機器名、調整項目を規定するコマンド、及び調整値を含む制御情報ブロックを、調整の順序に連結してなるシステムコマンドを生成し、各機器は、前記システムコマンド中、自己に対する制御情報ブロックに含まれるコマンド及び調整値に応じて動作状態が調整される。
本発明に係る複数機器制御システムは、特徴的構成において、
システム立ち上げ時にシステムコマンドに基づいて各機器の動作を制御する制御手段と、
各機器に対するコマンド毎に、ユーザによる調整の結果をシステム立ち上げ時の動作状態に反映させるべき反映可能コマンドであるかどうかを表わす情報が格納されている反映可能コマンドテーブル手段と、
システム運転中にユーザが任意の機器の動作状態を所望の調整値に調整した場合、前記反映可能コマンドテーブル手段に基づいて、該調整値についてのコマンドが反映可能コマンドであるか否かを判断するコマンド判断手段と、
該調整値についてのコマンドが反映可能コマンドであると判断されたとき、調整の対象となった機器について、該コマンド及び調整値を表わす最新の調整情報が格納される反映コマンドテーブル手段と、
システム運転の終了時に、前記反映コマンドテーブル手段に基づいて、調整の対象となった機器について、該機器の動作状態の調整値を絶対値として指定するための絶対値指定型コマンドを作成し、該コマンドに基づいてシステムコマンドを更新するシステムコマンド更新手段と、
各機器についての過去の動作状態を蓄積する状態保持テーブル手段
とを具えている。
そして、前記システムコマンド更新手段は、ユーザの選択設定に応じて、反映コマンドテーブル手段に基づいて絶対値指定型コマンドを作成する基本設定モードと、前記状態保持テーブル手段に基づいて絶対値指定型コマンドを作成する履歴設定モードとを切り替える。
【００１０】
上記本発明の複数機器制御システムにおいては、予め、各機器に対するコマンド毎に、反映可能コマンドであるかどうかを表わす情報を反映可能コマンドテーブル手段に格納しておく。ここで、ユーザが調整量を設定出来ない、システムの固定的な条件によって左右される項目、例えば電源オンなどについては、ユーザによる操作結果をシステム立ち上げ時の動作状態に反映させることなく、システム立ち上げ時の動作状態(デフォルト)を維持する。これに対し、季節や時間帯、或いはユーザの好み等、ユーザが調整量を設定出来る、変動的な条件によって左右される調整項目、例えば照明器の照度等については、ユーザによる調整結果をシステム立ち上げ時の動作状態に反映させることが望ましい。そこで、後者の如き調整項目についてのコマンドは、反映可能コマンドとして登録する。
【００１１】
システム立ち上げ時には、その時点で更新されているシステムコマンドに基づいて、各機器の動作が制御される。この過程で、各機器は、システムコマンド中、自己に対する制御情報ブロックに含まれるコマンド及び調整値に応じて動作状態が調整される。
システムコマンドによるシステム動作中にユーザが任意の機器の調整項目について所望の調整値を入力した場合、該調整項目についてのコマンドが反映可能コマンドであるか否かが判断されて、反映可能コマンドの場合は、その調整値に基づいて、システムコマンドが更新される。これに対し、ユーザが任意の機器の調整項目について所望の調整値を入力したが、該調整項目についてのコマンドが反映可能コマンドでない場合は、システムコマンドは更新されず、当初の調整値が維持される。
【００１２】
従って、次のシステム立ち上げ時のシステムコマンドには、反映可能コマンドについては更新された調整値が、それ以外のコマンドについては当初の調整値が設定されているので、該システムコマンドに基づいて、システム設置環境に適合すると同時にユーザの意向を適切に反映した機器動作が実現される。
【００１３】
ここで、システム動作の途中でユーザが試行錯誤的に行なった調整はシステムコマンドに反映されず、最後に行なった最終決定としての調整がシステムコマンドに反映される。
【００１４】
又、例えば光量のアップ／ダウンの如く相対的な操作によって設定された調整値が、絶対値としてシステムコマンドに組み込まれるので、該調整値に基づいて機器の動作状態を直接に制御することが出来る。
【００１５】
更に又、基本設定モードを設定したときは、前回のシステム動作終了時に更新されたシステムコマンドに基づいて、システム動作が実行されるのに対し、履歴設定モードを設定したときは、過去複数回の動作状態に基づいて、例えば過去複数回の調整値の平均値が算出されて、その結果に基づいて、絶対値指定型コマンドが作成され、システム動作が実行されることになる。
【００１６】
具体的構成において、前記状態保持テーブル手段は、環境別に過去の動作状態を蓄積した複数の環境別状態保持テーブルを具え、システムコマンド更新手段は、ユーザによって選択設定された環境別状態保持テーブルに基づいて、絶対値指定型コマンドを作成する。
具体的には、環境別状態保持テーブルとして、時間帯別状態保持テーブル、季節別状態保持テーブル、及び照度別状態保持テーブルが設定されている。
従って、時間帯、季節、照度等の環境に応じ、該当する環境についての過去の動作状態に基づいて、システムコマンドが更新される。
尚、状態保持テーブル手段には、過去の動作状態の蓄積数(サンプル数)を書き込むこととして、該蓄積数が一定値以上である場合に限り、平均値等を過去の動作状態の代表値として採用することが出来る。
【００１７】
【発明の効果】
本発明に係る複数機器制御システムによれば、システム動作の途中で任意の機器について動作状態の調整値を変更した場合に、次のシステム立ち上げ時に反映させるべき調整値と反映させるべきでない調整値とが適確に区別されて、システム設置環境に適合すると同時にユーザの意向を適切に反映した機器動作を実現することが出来る。
【００１８】
【発明の実施の形態】
以下、本発明を図１に示すホームシアターシステムに実施した形態につき、図面に沿って具体的に説明する。
本発明に係るホームシアターシステムにおいては、図１に示す如く、ホームシアタコントローラ(１)の赤外制御部(６)から発せられる赤外線信号によって、ＶＴＲ１(９)、ＶＴＲ２(10)、ＡＭＰ１(11)及びＴＶ(12)の制御が可能である。ホームシアタコントローラ(１)のセンサ入力部(７)には照度センサ(13)が接続されて、室内の照度が測定される。又、ホームシアタコントローラ(１)のシリアル制御部(５)には、液晶プロジェクタ(14)が接続されると共に、調光コントローラ(15)を介して照明器１(16)及び照明器２(17)が接続されている。
又、ホームシアタコントローラ(１)のシリアル制御部(５)にはタッチパネルコントローラ(８)が接続されており、該タッチパネルコントローラ(８)の操作によって、システム動作の開始や終了を指示し、或いは各機器の動作状態についての調整値を入力して、各機器に所望の動作を行なわしめることが可能となっている。
尚、ホームシアタコントローラ(１)は、マイクロコンピュータからなる制御回路(２)、メモリ(３)及びタイマー(４)を具えている。
【００１９】
ホームシアタコントローラ(１)のメモリ(３)には、図４に示す如き反映可能コマンドテーブルが予め登録されている。該反映可能コマンドテーブルには、動作状態を調整すべき各機器について、調整項目(光度、音量、輝度等)を表わすコマンド毎に、ユーザによる調整の結果をシステム立ち上げ時の動作状態に反映させるべき反映可能コマンドであるかどうかを表わす情報が格納されている。
【００２０】
又、メモリ(３)には、図５に示す如き反映コマンドテーブルが用意されている。該反映コマンドテーブルには、システム運転中にユーザが任意の機器の動作状態を所望の調整値に調整した場合、反映可能コマンドについては、調整の対象となった機器の名称、コマンド(調整項目)、状態(調整値)、及び後述の読み出しマーク(フラグ)を含む調整情報が格納されることになる。
【００２１】
更に、メモリ(３)には、図６に示す状態保持テーブル、図７に示す時間帯別状態保持テーブル、図８に示す季節別状態保持テーブル、図９に示す照度別状態保持テーブル、図１０に示す絶対値指定型コマンド作成用選択テーブル、及び図１１に示す絶対値指定型コマンド作成用環境選択テーブルが登録されるが、これらのテーブルの機能については、システム動作の内容と共に後述する。
【００２２】
本発明に係るホームシアターシステムにおいては、例えば図１３(ａ)の如きシステムコマンドに基づいてシステム動作が実行されている途中で、ユーザが例えば機器３(照明器)のコマンド５(フェード付き光度設定)について、パラメータ(調整値)を“０”に変更した場合、該コマンドが反映可能コマンドであれば、システム運転の終了時に、同図(ｂ)の如く、該調整値(“０”)をシステムコマンドに反映させる。
【００２３】
図２及び図３は、システムコマンド更新のためにホームシアタコントローラ(１)の制御回路(２)が実行する制御手続きを表わしている。
図２の如くシステム運転中において、コマンド入力待ち(Ｓ１)の状態で、コマンドが入力されると、反映可能コマンドテーブルに基づいて該コマンドが反映可能コマンドかどうかの判断を行なう。反映可能コマンドの場合(Ｓ２)、反映コマンドテーブルに、既にコマンド及び状態(調整値)が登録済みであるどうかを判断する。未登録の場合は(Ｓ４)、該テーブルにコマンドとコマンド実行によって生ずる状態を新たに追加する。登録済みの場合は(Ｓ３)、コマンド実行によって生ずる状態に基づいて、該テーブルを更新する。従って、使用されない反映可能コマンドは、システムコマンドに反映されない。
【００２４】
一方、反映コマンドでない場合(Ｓ５)、該コマンドが終了コマンドであるかどうかの判断を行なう。終了コマンドでない場合は(Ｓ６)、各コマンド処理を行って、コマンド入力待ち(Ｓ１)に戻る。
これに対し、終了コマンドであると判断された場合は、終了処理(Ｓ７)に移行して、システムコマンド(図１３(ａ)参照)の最後尾より、順に1コマンドずつ読み出しを行なう。そして、全てのコマンドの読み出しが終了するまでは、該コマンドと反映コマンドテーブルに登録された反映可能コマンドとが一致しているかどうかのチェックを行なう(Ｓ８)。反映可能コマンドと同一の場合(Ｓ１０)、図３により後述する絶対値指定型コマンド作成処理によってコマンドを生成し、該コマンドに基づいて、読み出し中のシステムコマンドを更新し、次のコマンドの読み出し(Ｓ７)に戻る。
【００２５】
コマンドの読み出しが全て終了した場合(Ｓ１１)、反映コマンドテーブル内の読み出しマークをチェックして、全てにマークがあれば(Ｓ１２)、運転終了処理(Ｓ１４)を実行して、運転を終了する。
一方、読み出しマークのないコマンドがある場合(Ｓ１３)、絶対値指定型コマンド作成処理によってコマンドを生成して、これをシステムコマンドの最後尾に追加した後、運転終了処理(Ｓ１４)を実行して、運転を終了する。
【００２６】
図３に示す絶対値指定型コマンドの作成処理においては、先ず、図１０に示す絶対値指定型コマンド作成用選択テーブルに基づいて、基本設定モードを選択すべきかどうかの判断を行なう。該絶対値指定型コマンド作成用選択テーブルは、ユーザによって予め設定されており、反映コマンドテーブルに基づいて絶対値指定型コマンドを作成するときは、設定値として“０”(基本設定)が入力され、環境を反映した絶対値指定型コマンドを作成するときは、設定値として“１”(環境反映設定)が入力されている。
【００２７】
図３において、基本設定モードを選択すべき場合(Ａ１)、反映コマンドテーブルのコマンドと状態に基づいて、絶対値指定型コマンドを生成する。そして、該テーブルのコマンド位置に読み出し済みを表わす読み出しマークをセットした後、手続きを終了する(Ａ１２)。
【００２８】
一方、基本設定モードを選択しない場合(Ａ２)、環境条件を反映させるかどうかの判断を行なう。そして、環境条件を反映させない場合(Ａ３)、図６に示す状態保持テーブルから情報の読み出しを行なう。尚、状態保持テーブルには、各機器についての過去の動作状態、即ち、機器名、コマンド、調整値(平均値)、及び情報数(平均値算出に用いたサンプルの数)が格納されている。
次に、状態保持テーブルに十分な数の情報が登録されているかどうかをチェックして(Ａ４)、情報の数が足りないときは(Ａ５)、現在の状態の記録を現在アクセス中の状態保持テーブルに追加保存し(Ａ７)、絶対値指定型コマンドの作成を終了する(Ａ１２)。これに対し、情報の数が十分な場合は(Ａ６)、現在の状態の記録と状態保持テーブルから読み出した情報から、調整値の平均値(絶対値)を算出する。そして、該平均値に基づいて、絶対値指定型コマンドを生成し、反映コマンドテーブルに読み出しマークをセットした後、現在の状態の記録を現在アクセス中の状態保持テーブルに追加保存し(Ａ７)、絶対値指定型コマンドの作成を終了する(Ａ１２)。
【００２９】
環境条件を反映する場合は、時間帯についての環境状態、季節についての環境状態、及び照度についての環境状態の何れを優先するかを、図１１に示す絶対値指定型コマンド作成用環境選択テーブルに基づいて判断する。
図３においては、先ず時間帯についての環境状態を優先するどうかを判断し、時間帯優先の場合(Ａ９)、図７に示す時間帯別状態保持テーブルから情報を読み出して、情報数の判断(Ａ４)に移行する。尚、時間帯別状態保持テーブルには、各機器についての過去の時間帯別の動作状態、即ち、機器名、コマンド、時間帯の種別、時間帯、当該時間帯の調整値(平均値)、及び情報数(サンプル数)が格納されている。
【００３０】
時間帯優先でない場合(Ａ８)、季節についての環境状態を優先するかどうかを判断し、季節優先の場合(Ａ１１)、図８に示す季節別状態保持テーブルから情報を読み出して、情報数の判断(Ａ４)に移行する。尚、季節別状態保持テーブルには、各機器についての過去の季節別の動作状態、即ち、機器名、コマンド、季節の種別、季節、当該季節の調整値(平均値)、及び情報数(サンプル数)が格納されている。
【００３１】
季節優先でない場合(Ａ８)、図９に示す照度別状態保持テーブルから情報を読み出して、情報数の判断(Ａ４)に移行する。尚、照度別状態保持テーブルには、各機器についての過去の照度別の動作状態、即ち、機器名、コマンド、照度の種別、照度、当該照度の調整値(平均値)、及び情報数(サンプル数)が格納されている。
【００３２】
図１２は、システム起動からシステム運転終了に至る過程で、図５に示す反映コマンドテーブルが書き換えられていく様子を表わしたものである。
図示する例は、システムコマンドの実行によって、▲１▼システムの起動時に照明器１の光度が１００％に調整された後、▲２▼光度５０％に調整され、▲３▼更に光度０％に調整された後、システム運転が開始され、システム運転中にユーザ操作によって、▲４▼先ず照明器１が光度２％だけ上げられ、▲５▼続いて、照明器２が光度１００％に調整された後、▲６▼最終的に光度が２％だけ落とされたものである。
【００３３】
この例において、反映コマンドテーブルは、▲１▼システム起動前においてはブランクの状態であるが、▲２▼照明器１が５０％に調整されることによって、図示の如く機器名“照明１”、コマンド“光度”、及び状態(調整値)“５０”が設定され、▲３▼更に光度が０％に調整されることによって、調整値が“０”に書き換えられる。その後、システム運転中に、▲４▼先ず照明器１が光度２％だけ上げられることによって、調整値が“２”に書き換えられる。▲５▼続いて、照明器２が光度１００％に調整されることによって、反映コマンドテーブルには、新たに調整された照明器２について、機器名“照明２”、コマンド“光度”、及び状態(調整値)“１００”が設定された後、▲６▼最終的に光度が２％だけ落とされることによって、照明器２の光度についての調整値が“９８”に書き換えられている。
【００３４】
この様にして最終的に得られた反映コマンドテーブルに基づいて、システムコマンドが更新されるのである。尚、反映コマンドテーブルを反映させるべき対象は、コマンドが同じであって、且つシステムコマンドの最も後に位置する制御情報ブロックの調整値とされる。
図１２の例では、当初は照明器１の光度を調整するだけのシステムコマンドであったが、システム運転中にユーザが照明器１及び照明器２の光度を調整したために、システムコマンドによって設定された照明器１の光度が０％から２％に書き換えられると共に、システムコマンドには設定されていなかった照明器２についても光度が９８％に設定され、システムコマンドの最後尾には、照明器２を光度９８％に設定するためのコマンドが追加されることになる。
【００３５】
上述の如く、本発明に係るホームシアターシステムによれば、システム設置時に設定されたシステムコマンドに基づくシステム動作中に、ホームシアターシステムが設置されている部屋の環境やユーザの好みに応じて、各機器の動作状態を調整すれば、その調整値がシステムコマンドに反映させるべきものである場合には、その調整値に基づいてシステムコマンドが更新され、その調整値がシステムコマンドに反映させるべきものでない場合には、システムコマンドの更新は行なわれないので、ユーザは、何ら煩雑な操作を行なうことなく、システムの設置環境や好みに合った快適なシステム動作を実現することが出来る。
【図面の簡単な説明】
【図１】本発明に係るホームシアターシステムの構成を表わすブロック図である。
【図２】本発明におけるシステムコマンド更新の手続きを表わすフローチャートである。
【図３】絶対値指定型コマンド作成の手続きを表わすフローチャートである。
【図４】反映可能コマンドテーブルを表わす図である。
【図５】反映コマンドテーブルを表わす図である。
【図６】状態保持テーブルを表わす図である。
【図７】時間帯別状態保持テーブルを表わす図である。
【図８】季節別状態保持テーブルを表わす図である。
【図９】照度別状態保持テーブルを表わす図である。
【図１０】絶対値指定型コマンド作成用選択テーブルを表わす図である。
【図１１】絶対値指定型コマンド作成用環境選択テーブルを表わす図である。
【図１２】システムの起動から運転終了に至るまでの反映コマンドテーブルの変化を表わす図である。
【図１３】当初のシステムコマンドと更新されたシステムコマンドを例示する図である。
【符号の説明】
(１)  ホームシアタコントローラ
(２)  制御回路
(３)  メモリ
(４)  タイマー
(８)  タッチパネルコントローラ
【図１】
0003691353.tif 000002
【図２】
0003691353.tif 000003
【図３】
0003691353.tif 000004
【図４】
0003691353.tif 000005
【図５】
0003691353.tif 000006
【図６】
0003691353.tif 000007
【図７】
0003691353.tif 000008
【図８】
0003691353.tif 000009
【図９】
0003691353.tif 000010
【図１０】
0003691353.tif 000011
【図１１】
0003691353.tif 000012
【図１２】
0003691353.tif 000013
【図１３】
0003691353.tif 000014